(57)【特許請求の範囲】
【請求項１】
有料道路の出口に設けられた給油所の場合において、複数油種の計量機構を有し、油種信号を受けて該当する油種の計量機構を駆動し、給油終了後に給油データを出力する給油装置と、該給油装置に付属するまたは有料道路の入口に設けた送受信器と、該送受信器が受けた顧客データに基づいた油種信号を給油装置へ出力し、給油装置から受けた給油データ及び顧客データに基づいて給油料金を精算する有料道路の出口に設けた精算装置とからなり、前記精算装置は送受信器から受けた顧客の入車データに基づいた有料道路の通行料金を給油料金と共に精算し、給油をしないで有料道路を退出する自動車は、前記顧客の入車データに基づいて通行料金のみを精算することを特徴とする給油所。
【発明の詳細な説明】
【０００１】
【発明の属する技術分野】
本発明は、自動車へ燃料油を給油する有料道路の出口に設けられた給油所に関する。
【０００２】
【従来の技術】
給油所員が給油所で行う作業には、顧客から油種を聞いて給油をする作業、及び給油終了後に料金を受け取る作業がある。そして、給油所のラッシュ時には、一人の給油所員が同時に複数の顧客の作業を行わねばならず、油種の間違い及び釣り銭の間違いを起こして顧客とトラブルとなることがある。このために、給油所の作業の合理化が望まれている。
【０００３】
【発明が解決しようとする課題】
本発明の目的は前記事情を考慮し、有料道路の出口に設けられた給油所で、顧客から油種を聞く作業、及び給油料金を精算する作業を無くし、給油所員の作業を軽減でき、有料道路の通行料金も給油料金と同時に精算でき、有料道路の精算作業を軽減することができる給油所を提供することである。
【０００４】
【課題を解決するための手段】
前記目的を達成するため本発明は、有料道路の出口に設けられた給油所の場合において、複数油種の計量機構を有し、油種信号を受けて該当する油種の計量機構を駆動し、給油終了後に給油データを出力する給油装置と、該給油装置に付属するまたは有料道路の入口に設けた送受信器と、該送受信器が受けた顧客データに基づいた油種信号を給油装置へ出力し、給油装置から受けた給油データ及び顧客データに基づいて給油料金を精算する有料道路の出口に設けた精算装置とからなり、前記精算装置は送受信器から受けた顧客の入車データに基づいた有料道路の通行料金を給油料金と共に精算し、給油をしないで有料道路を退出する自動車は、前記顧客の入車データに基づいて通行料金のみを精算することを要旨とするものである。
【０００５】
本発明によれば、複数油種の計量機構を有し、油種信号を受けて該当する油種の計量機構を駆動し、給油終了後に給油データを出力する給油装置と、該給油装置に付属した送受信器と、該送受信器が受けた顧客データに基づいた油種信号を給油装置へ出力し、給油装置から受けた給油データ及び顧客データに基づいて給油料金を精算する精算装置とを設けているので、顧客から油種を聞く作業及び給油料金を精算する作業が無くなり、給油所員の作業を軽減した給油所となる。
【０００７】
そして、前記精算装置は送受信器から受けた顧客の入車データに基づいた有料道路の通行料金を給油料金と共に精算するので、有料道路の出口に設けた給油所の場合には、有料道路の通行料金も給油料金と同時に精算でき、有料道路の精算作業を軽減することができるようになる。
【０００８】
【発明の実施の形態】
以下、本発明の実施の形態を説明する。図１、２に示すように、給油所１には複数のアイランド２が設けられ、各アイランド２には給油装置３が設けられている。この給油装置３には複数の計量機構４ａ、４ｂ、４ｃ（以下、代表する場合は４で示す）が設けられ、計量機構４ａはレギュラガソリンを、計量機構４ｂはハイオクガソリンを、計量機構４ｃは軽油を給油するようになっている。計量機構４の給油ノズル５のノズル掛けには、給油ノズル５の掛け外しを検知するノズルスイッチ６が設けられている。そして、各計量機構４は給油制御装置７により制御されるようになっている。
【０００９】
給油装置３の給油制御装置７は、後述する精算装置８から油種信号を受けて、該当する油種の計量機構４を可動状態にする。そして、給油制御装置７は、ノズルスイッチ６がオンすると計量機構４を駆動し、給油が終わってノズルスイッチ６がオフすると計量機構４の駆動を停止し、精算装置８へ給油データを出力するようになっている。
【００１０】
精算装置８は、後述する送受信器１０から顧客データを受信して顧客の与信をチェックし、有効である場合は油種信号を給油装置３へ出力し、給油装置３から給油データを受けて給油料金の精算処理をし、精算データを送受信器１０へ出力するようになっている。なお、精算データは外部の精算センタ１１へ随時又は直ちに出力され、精算されるようになっている。
【００１１】
送受信器１０は、各給油装置３に付属して設けられている。そして送受信器１０は、常に送信信号を出力し、後述する自動車１２のトランスポンダ１３から受信した顧客データを精算装置８へ出力し、精算装置８から受けた精算データを送信するようになっている。
【００１２】
給油所１の顧客の自動車１２のキーホルダ又は車体には、トランスポンダ１３が設けられている。このトランスポンダ１３には精算コード及び油種等の顧客データが記憶され、精算データが記憶されるようになっている。そして、トランスポンダ１３は、送受信器１０から送信信号を受けて顧客データを送信し、受信した精算データを記憶するようになっている。
【００１３】
なお、図５に示すように有料道路１４の出口１５に設けられた給油所１の場合として、精算装置８は、給油所１の事務所９の代りに、またはともに、有料道路１４の出口１５に設けられ、有料道路１４の入口１６に送受信器１７を設けた。
【００１４】
次に図３、４のフロー図に基づいて動作を説明する。給油所１へ来た自動車１２が給油装置３の前に停車し、トランスポンダ１３が送受信器１０から送信信号を受けると、トランスポンダ１３は顧客データを発信する。
【００１５】
送受信器１０を介して顧客データが精算装置９に入力すると（図３  ＳＴ１）、精算装置８は当該顧客の与信をチェックし（図３  ＳＴ２）、与信有りの場合は顧客の油種信号を給油装置３へ出力する（図３  ＳＴ３）。なお、与信無しの場合は図示しない報知器で報知される（図３  ＳＴ４）。
【００１６】
精算装置８から油種信号を受けた給油装置３の給油制御装置７は（図４  ＳＴ１）、当該油種の計量機構４を可動状態にする（図４  ＳＴ２）。そして、給油所員がノズル掛けから給油ノズル５を外し、ノズルスイッチ６がオンすると（図４  ＳＴ３）、計量機構４が駆動されて給油が行われる（図４  ＳＴ４）。給油が終わり給油ノズル５をノズル掛けに掛けてノズルスイッチ６がオフすると（図４  ＳＴ５）、給油制御装置７は計量機構４の駆動を停止し、給油データを精算装置９へ出力する（図４  ＳＴ６）。
【００１７】
給油装置３から給油データを受けた精算装置８は（図３  ＳＴ５）、精算処理をし、送受信器１０を介して精算データを送信する（図４  ＳＴ６）。そして、精算データは自動車１２のトランスポンダ１３に記憶される。この精算処理は、精算データを精算センタ１１へ随時又は直ちに送信して行われる。
【００１８】
上述した実施の形態は、図５に示すように有料道路１４の出口１５に設けられた給油所１の場合は、給油料金と共に通行料金の精算をすることにより、有料道路１４の精算作業を軽減することができるようになる。
【００１９】
即ち、この実施の形態では、有料道路１４の入口１６に送受信器１７を設け、出口１５に送受信器１８及び精算装置８を設けている。そして、自動車１２のトランスポンダ１３は、入口１６の送受信器１７から受信した入車データを記憶し、給油所１で顧客データ及び入車データを送信し、精算装置８は送受信器１０で受けた入車データに基づいて通行料金を計算し、給油装置３で給油した給油料金と共に通行料金を精算する。
【００２０】
なお、給油をしないで有料道路１４を退出する自動車は、出口１５で顧客データ及び入車データを送信し、精算装置８は送受信器１８で受けた顧客データ及び入車データに基づいて通行料金を精算するようになっている。
【００２１】
【発明の効果】
以上説明したように本発明の給油所は、複数油種の計量機構を有し、油種信号を受けて該当する油種の計量機構を駆動し、給油終了後に給油データを出力する給油装置と、該給油装置に付属した送受信器と、該送受信器が受けた顧客データに基づいた油種信号を給油装置へ出力し、給油装置から受けた給油データ及び顧客データに基づいて給油料金を精算する精算装置とを設けているので、顧客から油種を聞く作業及び給油料金を精算する作業が無くなり、給油所員の作業を軽減した給油所となる。
【図面の簡単な説明】
【図１】  本発明の給油所の平面図である。
【図２】  本発明の給油所のブロック図である。
【図３】  精算装置の制御のフロー図である。
【図４】  給油装置の制御のフロー図である。
【図５】  本発明の給油所を有料道路の出口付近の平面図である。
【符号の説明】
１  給油所
２  アイランド
３  給油装置
４  計量機構
５  給油ノズル
６  ノズルスイッチ
７  給油制御装置
８  精算装置
９  事務所
１０  送受信器
１１  精算センタ
１２  自動車
１３  トランスポンダ
１４  有料道路
１５  出口
１６  入口
１７、１８  トランスポンダ
【図１】
0003812173.tif 000002
【図２】
0003812173.tif 000003
【図３】
0003812173.tif 000004
【図４】
0003812173.tif 000005
【図５】
0003812173.tif 000006